(57)【要約】【課題】従来のデジタル放送受信機では、運転中に緊急警報放送を受信しても、安全な場所に車を止めるまで画面を見ることができないが、走行中に緊急警報放送を受信したとき受信内容を記録することで、走行を停止してパーキング状態になると自動的に記録した内容を再生することはできる。しかし、再生時に緊急警報放送が継続されていた場合には、再生中に放送された内容を確認することができない。【解決手段】車載デジタル放送受信機内部に緊急警報放送を保存するための記憶手段を備え、緊急警報放送を受信した場合に、システムコントローラにより緊急警報放送の信号を選択して自動的に記憶手段にストリームの記録を行い、ユーザー操作により再生し、緊急警報放送を最後まで視聴できるように、再生中に記録を続けることを可能とする。【選択図】図１
2007295453.tif 000002
【特許請求の範囲】
【請求項１】
緊急警報放送を受信できる車載型デジタル放送受信機であって、緊急警報放送を受信した時には、自動的に記憶手段へ受信内容を記録するように構成され、記憶手段へ受信内容を記録しながら、ユーザー操作により記憶手段に記録された放送の内容を再生するように構成されたことを特徴とする車載型デジタル放送受信機。
【請求項２】
請求項１に記載の車載型デジタル放送受信機において、ユーザー操作により記憶手段に保存された緊急警報放送の内容、または同時間帯の他の番組を再生するように構成されたことを特徴とする車載型デジタル放送受信機。
【発明の詳細な説明】
【技術分野】
【０００１】
本発明は、緊急警報放送が受信可能な車載型デジタル放送受信機に関するものである。
【背景技術】
【０００２】
従来のデジタル放送受信機では、緊急警報放送を受信した場合、テレビを視聴できる状態であれば、自動的またはユーザーの操作によって緊急警報放送を視聴できる。また、従来の車載型デジタル放送受信機では、車を運転中に緊急警報放送を受信しても、安全な場所に車を止めるまで画面を見ることができないが、走行中に緊急警報放送を受信したとき受信内容を記録することで、走行を停止してパーキング状態になると自動的に記録した内容を再生することはできる（特許文献１参照）。しかし、再生時に緊急警報放送が継続されていた場合には、再生中に放送された内容を確認することができない。
【特許文献１】特開２００３−３２４３６１号公報
【発明の開示】
【発明が解決しようとする課題】
【０００３】
解決しようとする問題点は、車載用のテレビでは、車の走行中は安全確保のため運転者がテレビ画面を注視しないように、パーキングブレーキを作動させた時に、映像表示を行うようになっている。従って、走行中に緊急警報放送が放送された場合、詳細内容を簡単に見ることができない点である。
【課題を解決するための手段】
【０００４】
本発明は、緊急警報放送を受信すると車載型デジタル放送受信機に備えた記憶手段で、自動的に受信内容を記録しながらユーザー操作で再生を行える構成として、途中で再生を開始しても、緊急警報放送が終了するまで内容を確認できることを最も主要な特徴とする。
【発明の効果】
【０００５】
本発明の車載型デジタル放送受信機は、緊急警報放送を受信すると備えた記憶手段で、自動的に受信内容を記録しながらユーザー操作で再生できる構成とすることにより、車内では困難であった緊急警報放送のすべての内容確認を、ユーザー操作で簡単に実行できる利点がある。
【発明を実施するための最良の形態】
【０００６】
従来の車載型デジタル放送受信機では困難であった緊急警報放送の内容確認を、車載型デジタル放送受信機に備えた記憶手段で、記録しながら再生を行える構成として、途中で再生を開始しても、緊急警報放送が終了するまで内容を確認できる手段、また、ＴＳ（トランスポートストリーム）で記録することにより、緊急警報放送開始前に視聴していた番組で、緊急警報放送中に視聴できなかった部分も後から再生できる手段を実現した。
【０００７】
（実施の形態１）
図１は、本発明の実施形態１の車載型デジタル放送受信機のブロック図であって、チューナ１０１、デマルチプレクサ（ＤＥＭＵＸ）１０２、映像デコーダ１０３、映像処理回路１０４、音声デコーダ１０５、音声処理回路１０６、システムコントローラ１０７、オンスクリーン表示回路１０８、記憶手段１０９、不揮発性メモリ１１０、揮発性メモリ１１１、ユーザー操作部１１２を備えている。
【０００８】
チューナ１０１はデジタル放送受信機に入力された映像、音声、データを含むデジタル放送信号の中から特定周波数のトランスポートストリーム信号を取り出す。デマルチプレクサ（ＤＥＭＵＸ）１０２は、トランスポートストリームから、システムコントローラ１０７により指定された番組のパケットを分離し、映像ストリームを映像デコーダ１０３に、音声ストリームを音声デコーダ１０５に供給する。また、デマルチプレクサ（ＤＥＭＵＸ）１０２から、システムコントローラ１０７の制御により、記憶手段１０９に選択された番組のストリームを記録、再生、または同時に記録・再生を行う。映像デコーダ１０３は映像ストリームを復号し、必要に応じてオンスクリーン表示回路１０８で生成された文字図形情報を合成し、映像処理回路１０４で処理された映像信号を出力する。音声デコーダ１０５は、音声ストリームを復号し、音声処理回路１０６で処理された音声信号を出力する。不揮発性メモリ１１０は、デジタル放送受信機のプログラム、その他受信機ＩＤなど必要となるデータを記憶しておくためのメモリである。揮発性メモリ１１１は、ＲＡＭなどから構成されたプログラムの動作時に作業領域などとして利用されるメモリである。システムコントローラ１０７はデジタル放送受信機のすべての制御を行うものであり、本発明の緊急警報放送の記憶処理を実行する。
【０００９】
システムコントローラ１０７は、デジタル放送信号のＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）に含まれる起動制御ビットを監視し、起動制御ビットが０から１に変化すると、起動ビットが１の間、受信チャンネルのＰＭＴ（Ｐｒｏｇｒａｍ  Ｍａｐ  Ｔａｂｌｅ）の中の緊急警報放送記述子を監視する。そして、受信すべき緊急警報放送のサービスｉｄで記述されたチャンネルを選局して受信する。そして、受信チャンネルのＰＭＴから緊急警報記述子が無くなると、当該緊急警報放送の受信処理を終了する。
【００１０】
緊急警報放送を受信したときには、システムコントローラ１０７はデマルチプレクサ（ＤＥＭＵＸ）１０２より、記憶手段１０９に緊急警報放送の受信内容を記憶させる。ユーザー操作部１１２により記憶した緊急警報放送の再生が指示されると、受信チャンネルのＰＭＴから緊急警報記述子が無くなるまで、記憶手段１０９に記憶を続けながら、すでに記憶されている放送受信内容を読み出し、デマルチプレクサ（ＤＥＭＵＸ）１０２より映像デコーダ１０３、音声デコーダ１０５に送る。これにより記憶された緊急警報放送の終了まで映像を表示することが可能となる。
【００１１】
（実施の形態２）
図２は、本発明の実施形態２の車載型デジタル放送受信機のブロック図であって、チューナ１０１、デマルチプレクサ（ＤＥＭＵＸ）１０２、映像デコーダ１０３、映像処理回路１０４、音声デコーダ１０５、音声処理回路１０６、システムコントローラ１０７、オンスクリーン表示回路１０８、記憶手段１０９、不揮発性メモリ１１０、揮発性メモリ１１１、ユーザー操作部１１２を備えている。
【００１２】
チューナ１０１はデジタル放送受信機に入力された映像、音声、データを含むデジタル放送信号の中から特定周波数のトランスポートストリーム信号を取り出す。デマルチプレクサ（ＤＥＭＵＸ）１０２は、トランスポートストリームから、システムコントローラ１０７により指定された番組のパケットを分離し、映像ストリームを映像デコーダ１０３に、音声ストリームを音声デコーダ１０５に供給する。また、デマルチプレクサ（ＤＥＭＵＸ）１０２から、システムコントローラ１０７の制御により、記憶手段１０９にＴＳ（トランスポートストリーム）の記録、再生、または同時に記録・再生を行う。映像デコーダ１０３は映像ストリームを復号し、必要に応じてオンスクリーン表示回路１０８で生成された文字図形情報を合成し、映像処理回路１０４で処理された映像信号を出力する。音声デコーダ１０５は、音声ストリームを復号し、音声処理回路１０６で処理された音声信号を出力する。不揮発性メモリ１１０は、デジタル放送受信機のプログラム、その他受信機ＩＤなど必要となるデータを記憶しておくためのメモリである。揮発性メモリ１１１は、ＲＡＭなどから構成されたプログラムの動作時に作業領域などとして利用されるメモリである。システムコントローラ１０７はデジタル放送受信機のすべての制御を行うものであり、本発明の緊急警報放送の記録処理を実行する。
【００１３】
システムコントローラ１０７は、デジタル放送信号のＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）に含まれる起動制御ビットを監視し、起動制御ビットが０から１に変化すると、起動ビットが１の間、受信チャンネルのＰＭＴ（Ｐｒｏｇｒａｍ  Ｍａｐ  Ｔａｂｌｅ）の中の緊急警報放送記述子を監視する。そして、受信すべき緊急警報放送のサービスｉｄで記述されたチャンネルを選局して受信する。そして、受信チャンネルのＰＭＴから緊急警報記述子が無くなると、当該緊急警報放送の受信処理を終了する。
【００１４】
緊急警報放送を受信したときには、システムコントローラ１０７はデマルチプレクサ（ＤＥＭＵＸ）１０２より、記憶手段１０９に緊急警報放送が含まれるトランスポートストリームを記録させる。ユーザー操作部１１２により記憶した緊急警報放送の再生が指示されると、受信チャンネルのＰＭＴから緊急警報記述子が無くなるまで、記憶手段１０９に記憶を続けながら、すでに記憶されている放送受信内容を読み出し、映像デコーダ１０３、音声デコーダ１０５に送る。これにより記憶された緊急警報放送の終了まで映像を表示することが可能となる。
【００１５】
また、ユーザー操作部１１２により記憶した通常の番組の再生が指示されると、受信チャンネルのＰＭＴから緊急警報記述子が無くなるまで、記憶手段１０９に記憶を続けながら、すでに記憶されている通常番組の受信内容を読み出し、デマルチプレクサ（ＤＥＭＵＸ）１０２より映像デコーダ１０３、音声デコーダ１０５に送る。これにより緊急警報放送時に視聴できなかった通常番組も終了まで映像を表示することが可能となる。
【産業上の利用可能性】
【００１６】
本発明の車載型デジタル放送受信機は、困難であった緊急警報放送の内容確認を、車載型デジタル放送受信機に備えた記憶手段で、記録しながら再生を行える構成として、途中で再生を開始しても、緊急警報放送が終了するまで内容を確認できる手段、また、ＴＳ（トランスポートストリーム）で記録することにより、緊急警報放送開始前に視聴していた番組で、緊急警報放送中に視聴できなかった部分も後から再生できる利点を有し、車載型デジタル放送受信機で緊急警報放送を確認する方法として有用である。
【図面の簡単な説明】
【００１７】
【図１】本発明の実施形態１における車載型デジタル放送受信機のブロック図
【図２】本発明の実施形態２における車載型デジタル放送受信機のブロック図
【符号の説明】
【００１８】
１０１    チューナー
１０２    デマルチプレクサ（ＤＥＭＵＸ）
１０３    映像デコーダ
１０４    映像処理回路
１０５    音声デコーダ
１０６    音声処理回路
１０７    システムコントローラ
１０８    オンスクリーン表示回路
１０９    記憶手段
１１０    不揮発性メモリ
１１１    揮発性メモリ
１１２    ユーザー操作部
【図１】
2007295453.tif 000003
【図２】
2007295453.tif 000004